(57)【要約】【課題】眼鏡を掛けた状態で、快適に装着することができる密閉型ヘッドフォンを提供すること。【解決手段】ヘッドバンド部１０と一対のイヤーパッド部４０及び４０と一対のスピーカ部２０及び２０とを備える密閉型ヘッドフォン１。ヘッドバンド部１０は装着者６０の両方の耳７０に伸びる。イヤーパッド部４０はヘッドバンド部１１に設けられている。スピーカ部２０はイヤーパッド部４０に設けられている。イヤーパッド部４０は、耳７０の耳介７１のうちの一の部分７１ａを露出するように耳７０の耳介７１のうちの他の部分７１ｂ及び耳７０の外耳道７２の周囲を覆い隠す接触部４３を有する。【選択図】図５
2007158484.tif 000002
【特許請求の範囲】
【請求項１】
装着者の両耳間に前記装着者の頭を回避して延在するヘッドバンド部と、
それぞれが前記ヘッドバンド部の両端のそれぞれに設けられた一対のイヤーパッド部と、
それぞれが前記イヤーパッド部のそれぞれに設けられた一対のスピーカ部と、を備え、
前記イヤーパッド部は、それぞれ、耳介の上側の部分を露出するように、各耳の耳介の一の部分と各耳の外耳道の周囲とを覆い隠す一対の接触部を有し、
前記接触部のそれぞれの外周は、蹄形と該蹄形の両端を直線で結んでなる形状を有することを特徴とする密閉型ヘッドフォン。
【請求項２】
装着者の両耳間に前記装着者の頭を回避して延在するヘッドバンド部と、
それぞれが前記ヘッドバンド部の両端のそれぞれに設けられた一対のイヤーパッド部と、
それぞれが前記イヤーパッド部のそれぞれに設けられた一対のスピーカ部と、を備え、
前記イヤーパッド部は、それぞれ、耳介の上側の部分を露出するように、各耳の耳介の一の部分と各耳の外耳道の周囲とを覆い隠す一対の接触部を有し、
前記接触部のそれぞれの外周は、異形又は偏心した楕円の一部分と該楕円の一部分の両端を直線で結んでなる形状を有し、
前記イヤーパッド部の一方は、前記ヘッドバンド部の一方に対して回動自在に取り付けられている一方の連結部を有し、
前記イヤーパッド部の他方は、前記ヘッドバンド部の他方に対して回動自在に取り付けられている他方の連結部を有することを特徴とする密閉型ヘッドフォン。
【請求項３】
前記イヤーパッド部の一方は、前記ヘッドバンド部の一方に対して回動自在に取り付けられている一方の連結部を有し、
前記イヤーパッド部の他方は、前記ヘッドバンド部の他方に対して回動自在に取り付けられている他方の連結部を有することを特徴とする請求項１に記載の密閉型ヘッドフォン。
【請求項４】
前記接触部は、前記耳介に接触する耳介接触部分を有し、
前記耳介接触部分は、前記接触部のうち前記耳介接触部分以外の部分より柔らかい弾性体で形成されていることを特徴とする請求項１から３のいずれかに記載の密閉型ヘッドフォン。
【発明の詳細な説明】
【技術分野】
【０００１】
本発明は、密閉型ヘッドフォンに関する。
【背景技術】
【０００２】
従来の密閉型のヘッドフォンセットは、装着者の一方及び他方の耳に伸びるヘッドバンド部と、それぞれがヘッドバンド部の一方及び他方のそれぞれに設けられた一対のイヤーパッド部と、それぞれが各イヤーパッド部に設けられた一対のスピーカ部と、を備える（例えば、特許文献１参照）。
【０００３】
そのような、密閉型のヘッドフォンセットのイヤーパッド部は、椀型の形状を有し、耳介の全体を覆い隠して、イヤーパッド部と耳介との間を密閉する。
【０００４】
したがって、眼鏡を掛けている装着者がそのヘッドフォンを使用すると、装着者の耳介の上部はイヤーパッド部によって眼鏡のフレームに押圧される。眼鏡のフレームの形状や、イヤーパッド部の押圧力によっては、装着者は強い痛みを感じてしまうので、装着者は、眼鏡を外してからヘッドフォンを装着するという繁雑な作業をしなければならなかった。
【特許文献１】特開平８−１８２０８５号公報
【発明の開示】
【発明が解決しようとする課題】
【０００５】
本発明の目的は、眼鏡を掛けた状態で、快適に装着することができる密閉型ヘッドフォンを提供することにある。
【課題を解決するための手段】
【０００６】
以上の目的を達成するために、本発明は、以下のような密閉型ヘッドフォンを提供する。
【０００７】
（１）  装着者の両耳間に前記装着者の頭を回避して延在するヘッドバンド部と、それぞれが前記ヘッドバンド部の両端のそれぞれに設けられた一対のイヤーパッド部と、それぞれが前記イヤーパッド部のそれぞれに設けられた一対のスピーカ部と、を備えることを特徴とする密閉型ヘッドフォン。前記イヤーパッド部は、それぞれ、耳介の上側の部分を露出するように、各耳の耳介の一の部分と各耳の外耳道の周囲とを覆い隠す一対の接触部を有する。前記接触部のそれぞれの外周は、蹄形と該蹄形の両端を直線で結んでなる形状を有する。
【０００８】
（２）  装着者の両耳間に前記装着者の頭を回避して延在するヘッドバンド部と、それぞれが前記ヘッドバンド部の両端のそれぞれに設けられた一対のイヤーパッド部と、それぞれが前記イヤーパッド部のそれぞれに設けられた一対のスピーカ部と、を備えることを特徴とする密閉型ヘッドフォン。前記イヤーパッド部は、それぞれ、耳介の上側の部分を露出するように、各耳の耳介の一の部分と各耳の外耳道の周囲とを覆い隠す一対の接触部を有する。前記接触部のそれぞれの外周は、異形又は偏心した楕円の一部分と該楕円の一部分の両端を直線で結んでなる形状を有する。前記イヤーパッド部の一方は、前記ヘッドバンド部の一方に対して回動自在に取り付けられている一方の連結部を有する。前記イヤーパッド部の他方は、前記ヘッドバンド部の他方に対して回動自在に取り付けられている他方の連結部を有する。
【０００９】
（１）及び（２）に記載の発明によれば、各イヤーパッド部は、眼鏡のフレームを挟んでいる耳介の部分以外の部分を接触部で覆うことができる。特に、接触部の外周を、蹄形と該蹄形の両端を直線で結んでなる形状や、異形又は偏心した楕円の一部分と該楕円の一部分の両端を直線で結んでなる形状にすることで、装着者は接触部を眼鏡のフレームを挟んでいる耳介の部分以外の部分に接触させることができる。
【００１０】
（３）  前記イヤーパッド部の一方は、前記ヘッドバンド部の一方に対して回動自在に取り付けられている一方の連結部を有し、前記イヤーパッド部の他方は、前記ヘッドバンド部の他方に対して回動自在に取り付けられている他方の連結部を有することを特徴とする（１）に記載の密閉型ヘッドフォン。
【００１１】
（３）に記載の発明によれば、一方及び他方の連結部は、それぞれ、イヤーパッド部の一方及び他方に対して回転させることができるので、装着者は、各耳の耳介うちの一の部分を露出させる位置を、装着者の耳の形状や眼鏡のフレームの形状に合わせ、調整することができる。
【００１２】
（４）  前記接触部は、前記耳介の他の部分に接触する耳介接触部分を有し、前記耳介接触部分は、前記接触部のうち前記耳介接触部分以外の部分より柔らかい弾性体で形成されていることを特徴とする（１）から（３）のいずれかに記載の密閉型ヘッドフォン。
【００１３】
（４）に記載の発明によれば、接触部のうち、耳介に接触する耳介接触部分は、耳介接触部分以外の部分より、柔らかい弾性体で形成されているので、耳介を強く押圧することがない。このため、イヤーパッド部は、眼鏡のフレームが掛かっている耳介の部分を押圧しない状態で、スピーカ部から出力される音を殆ど漏らすことなく、装着者の耳に伝えることができる。
【発明の効果】
【００１４】
本発明によれば、イヤーパッド部は、耳介の一部のみを覆うことができるので、眼鏡を掛けている装着者であっても、快適に、密閉型ヘッドフォンを装着することができる。
【発明を実施するための最良の形態】
【００１５】
以下、本発明の実施形態について図面に基づいて説明する。図１は、本発明に係る密閉型ヘッドフォンの実施形態を示す外観斜視図である。図２は、図１に示す密閉型ヘッドフォンの一の部分を示す分解斜視図である。図３は、図１に示す密閉型ヘッドフォンの他の部分を示す分解斜視図である。図４は、図１に示す密閉型ヘッドフォンのイヤーパッド部を回転させた状態を示す斜視図である。図５は、図１に示す密閉型ヘッドフォンの使用状態を示す斜視図である。図６は、図５に示す密閉型ヘッドフォンの一部を省略した拡大側面図である。図７は、図１に示す密閉型ヘッドフォンの別の使用状態を示す斜視図である。
【００１６】
図１から図３を参照するに、密閉型ヘッドフォン１は、ヘッドバンド部１０と一対のイヤーパッド部４０及び４０と一対のスピーカ部２０及び２０とを備える。
【００１７】
ヘッドバンド部１０は、弾性体で形成された板状のバンド本体部１１と、バンド本体部１１の両端に形成されたリング部１２及び１２（図２及び図３参照）とを有する。
【００１８】
バンド本体部１１は、一方のリング部１２と他方のリング部１２との間の距離が装着者６０の頭部６１（図５参照）の幅寸法よりも若干狭くなるように、Ｕ字状に形成されている。
【００１９】
一方及び他方のリング部１２及び１２には、それぞれ、挿通穴１３及び１３が形成されている。挿通穴１３は、外形が円柱形状の連結部３０の側面３１が相対的回転可能に嵌合することができる寸法に形成されている。
【００２０】
したがって、装着者６０は、一方及び他方のリング部１２及び１２がそれぞれ装着者６０の一方及び他方の耳７０及び７０（図５参照）に伸びるように、かつ、装着者６０の頭部６１がバンド本体部１１によって挟まれるように、密閉型ヘッドフォン１のバンド本体部１１を頭部６１に装着することができる。
【００２１】
一方のイヤーパッド部４０は、一方がヘッドバンド部１０の一方に対して回動自在に取り付けられている連結部３０を有している。他方のイヤーパッド部４０は、ヘッドバンド部１０の他方に対して回動自在に取り付けられている他方の連結部３０を有している。
【００２２】
連結部３０には、スピーカ部２０から出力される音をイヤーパッド部４０に伝えるための貫通穴３２が設けられている。貫通穴３２は、円柱形状を有する連結部３０の両底面を貫通している。
【００２３】
イヤーパッド部４０は、スポンジのような材質を内在するクッション４１と、クッション４１を所定の形状で保持する板状のベース４２とを有する。クッション４１は、クッション４１の中央に凹部４５を形成する非リング形状を有する。具体的には、クッション４１の側面は、楕円形状の側面４１ａと、楕円形状の一部が切り落とされたような平面４１ｂとを有する。
【００２４】
クッション４１は、耳７０の耳介７１のうちの一の部分７１ａを露出させ、かつ、耳介７１のうちの他の部分７１ｂ及び耳７０の外耳道７２の周囲を覆い隠す接触部４３を有する。接触部４３は、装着者６０の皮膚に接触する部分をいう。接触部４３の外周は、眼鏡のフレームを挟んでいる耳介の部分以外の部分を覆うように形状されている。具体的には、接触部４３の外周は、蹄形とこの蹄形の両端を直線で結んでなるように形状されたり、異形又は偏心した楕円の一部分とこの楕円の一部分の両端を直線で結んでなるように形成されたりしている。接触部４３は例えば耳７０の周囲の皮膚に接触する部分を含む。
【００２５】
接触部４３は、耳介７１の他の部分７１ｂに接触する耳介接触部分４６を有する。耳介接触部分４６は、接触部４３のうち耳介接触部分４６以外の部分４７より柔らかい弾性体で形成されている。したがって、接触部４３は、耳介７１に凹凸があっても、耳介接触部分４６が大きく弾性変形して、耳介接触部分４６と耳介７１との間の隙間をほぼ埋めるので、スピーカ部２０から出力される音を殆ど漏らさない。
【００２６】
凹部４５の底部及びベース４２には、凹部４５の底部からベース４２の外側に貫通する貫通穴４４が形成されている。貫通穴４４は、連結部３０の一端が挿通可能な大きさとされている。イヤーパッド部４０及び４０は、それぞれ、貫通穴４４に連結部３０の一端を嵌合することにより、連結部３０及び３０の一端に組み付けられる。
【００２７】
連結部３０は、連結部３０の側面３１の中央が挿通穴１３に位置するように、挿通穴１３に相対的回転可能に嵌合されている。つまり、連結部３０は、筒状になっており、ヘッドバンド部１０の挿通穴１３を介してイヤーパッド部４０の貫通穴４４にはめ込まれている。
【００２８】
スピーカ部２０及び２０は、電気信号を音に変換出力するためのスピーカのような部品を収納している。
【００２９】
スピーカ部２０は、クッション４１の相似形のような非円の板形状を有している。一方のスピーカ部２０の外側の側面２０ａの中央には、ケーブル２１を引き出すための引出穴２４が形成されている。他方のスピーカ部２０は、一方のスピーカ部２０から出力される電気信号をケーブル（図示せず）又は無線を介して受信している。
【００３０】
ケーブル２１の一端は、一方のスピーカ部２０の外側の側面２０ａに形成されている引出穴２４を通って、スピーカ部２０の内部に配置されたスピーカに電気的に接続さている。ケーブル２１の他端は、音楽機器のような音声出力装置に接続可能なジャック２２に電気的に接続されている。
【００３１】
スピーカ部２０の内側の側面２０ｂには、スピーカから出力された音が出る出力穴２０ｃが形成されている。出力穴２０ｃは、連結部３０の側面３１が嵌合可能な大きさを有している。スピーカ部２０は、出力穴２０ｃに連結部３０の他端を嵌合することにより、連結部３０の他端に組み付けられる。これにより、リング部１２は、ベース４２とスピーカ部２０の側面２０ｂとの間に摺動可能に挟まれる。
【００３２】
したがって、密閉型ヘッドフォン１は、出力穴２０ｃに連結部３０を嵌合し、また、連結部３０を貫通穴４４に嵌合しているので、出力穴２０ｃから出力される音は、貫通穴３２及び貫通穴４４を通って凹部４５の内部に出力される。
【００３３】
また、図４に示すように、連結部３０は挿通穴１３に相対的回転可能に嵌合されているので、装着者６０はイヤーパッド部４０をヘッドバンド部１０に対して相対的に回転させることができる。
【００３４】
このような密閉型ヘッドフォン１は、以下のようにして装着者６０に装着される。
【００３５】
装着者６０は、一対のイヤーパッド部４０及び４０を手で若干広げて、一対のイヤーパッド部４０及び４０がそれぞれ装着者６０の一方及び他方の耳７０及び７０に伸びるように、かつ、ヘッドバンド部１０のバンド本体部１１が装着者６０の頭部６１に位置するように、バンド本体部１１を頭部６１に装着する。
【００３６】
図５及び図６に示すように、仮に、装着者６０が眼鏡５０を掛けていても、イヤーパッド部４０が耳７０の耳介７１の上端部を押圧しない非円形のような形状を有する接触部４３を備えているので、耳７０の耳介７１の上端部は眼鏡５０のフレーム５１を挟むことが殆どない。このため、装着者６０は、眼鏡５０を掛けた状態で密閉型ヘッドフォン１を快適に使用することができる。
【００３７】
図７に示すように、装着者６０は、装着者６０が掛けている眼鏡５０の形状に応じた、イヤーパッド部４０が耳７０の耳介７１の上端部を押圧しない位置に、イヤーパッド部４０を回転させることができる。つまり、装着者６０は、イヤーパッド部４０が眼鏡５０のフレーム５１を圧迫しないように、イヤーパッド部４０の向きを容易に調節することができる。このため、装着者６０は、耳７０の耳介７１の上端部が眼鏡５０のフレーム５１を挟むことによる痛みを殆ど感じないから、長時間、密閉型ヘッドフォン１を使用することが可能である。
【００３８】
密閉型ヘッドフォン１によれば、各イヤーパッド部４０は、各耳７０の耳介７１のうちの一の部分７１ａを露出するように各耳７０の耳介７１のうちの他の部分７１ｂ及び各耳７０の外耳道７２の周囲を覆い隠す接触部４３を有するので、眼鏡５０のフレーム５１を挟んでいる耳介７１の部分７１ａ以外の部分７１ｂを接触部４３で覆うことができる。このため、イヤーパッド部４０は、眼鏡５０のフレーム５１が掛かっている耳介７１の部分７１ａを押圧しない状態で、スピーカ部２０から出力される音を殆ど漏らすことなく、装着者６０の耳７０に伝えることができる。
【００３９】
密閉型ヘッドフォン１によれば、一方及び他方の連結部３０は、それぞれ、イヤーパッド部４０の一方及び他方に対して回転させることができるので、装着者６０は、各耳７０の耳介７１のうちの一の部分７１ａを露出させる位置を、装着者６０の耳７０の形状や眼鏡５０のフレーム５１の形状に合わせ、調整することができる。
【００４０】
密閉型ヘッドフォン１によれば、接触部４３のうち、耳介７１に接触する耳介接触部分４６は、耳介接触部分４６以外の部分より、柔らかい弾性体で形成されているので、耳介７１を強く押圧することがない。
【００４１】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００４２】
【図１】本発明に係る密閉型ヘッドフォンの実施形態を示す外観斜視図である。
【図２】図１に示す密閉型ヘッドフォンの一の部分を示す分解斜視図である。
【図３】図１に示す密閉型ヘッドフォンの他の部分を示す分解斜視図である。
【図４】図１に示す密閉型ヘッドフォンのイヤーパッド部を回転させた状態を示す斜視図である。
【図５】図１に示す密閉型ヘッドフォンの使用状態を示す斜視図である。
【図６】図５に示す密閉型ヘッドフォンの一部を省略した拡大側面図である。
【図７】図１に示す密閉型ヘッドフォンの別の使用状態を示す斜視図である。
【符号の説明】
【００４３】
１  密閉型ヘッドフォン
１０  ヘッドバンド部
１１  バンド本体部
１２  リング部
１３  挿通穴
２０  スピーカ部
２０ａ  スピーカ部の外側の側面
２０ｂ  スピーカ部の内側の側面
２０ｃ  スピーカ部の出力穴
２１  ケーブル
２２  ジャック
２４  スピーカ部の引出穴
３０  イヤーパッド部の連結部
３１  連結部の側面
３２  連結部の貫通穴
４０  イヤーパッド部
４１  イヤーパッド部のクッション
４２  イヤーパッド部のベース
４３  イヤーパッド部の接触部
４４  イヤーパッド部の貫通穴
４５  イヤーパッド部の凹部
４６  イヤーパッド部の接触部のうち耳介に接触する耳介接触部分
４７  イヤーパッド部の接触部のうち耳介接触部分以外の部分
５０  眼鏡
５１  眼鏡のフレーム
６０  装着者
６１  装着者の頭部
７０  装着者の耳
７１  装着者の耳介
７１ａ  耳介のうちの露出している部分
７１ｂ  耳介のうちの露出していない部分
７２  外耳道
【図１】
2007158484.tif 000003
【図２】
2007158484.tif 000004
【図３】
2007158484.tif 000005
【図４】
2007158484.tif 000006
【図５】
2007158484.tif 000007
【図６】
2007158484.tif 000008
【図７】
2007158484.tif 000009